(57)【要約】【課題】目頭や鼻部や耳等の花粉症などのアレルギー性疾患の予防や症状緩和に優れた効果を発揮するマスクを提供する。【解決手段】一対の本体シート３からなるマスク本体部１と耳かけ部２とを有するマスク１０。マスク本体部１は、鼻部６１と口部６２とを覆う本体部主部１Ａと、本体部主部１Ａから上方に突出して鼻部６１上部を覆う凸状部分１ｃとを有する。前方側縁部３ａは接合部５で内面どうしが重ね合わされて互いに接合されている。接合部５の上端５ａは、目頭６３ａどうしを結ぶ線Ｌ１から鼻部６１の上端６１ｂまでの高さ範囲に位置する。本体シート３の上端部３ｆを含む部分は、互いに接合されていない非接合部１７とされている。非接合部１７は、少なくとも一部が線Ｌ１より高い位置にあり、側方に開いた形態となって目頭６３ａまたはその近傍を覆うように顔面６０ａに面密着的に接する。【選択図】図４
2012239588.tif 000002
【特許請求の範囲】
【請求項１】
一方の側縁部どうしが接合された一対の本体シートからなるマスク本体部と、前記マスク本体部の両側部にそれぞれ設けられた耳かけ部とを備え、
前記マスク本体部は、使用者の鼻部の少なくとも一部と口部とを覆う本体部主部と、前記本体部主部から上方に突出して鼻部上部を覆う凸状部分とを有し、
前記一対の本体シートの前記一方の側縁部は、長さ方向に沿って内面どうしが重ね合わされて少なくとも一部が互いに接合され、この接合部の上端は、前記凸状部分にあって装着時に使用者の目頭どうしを結ぶ線から前記使用者の鼻部上端までの高さ範囲に位置し、
前記本体シートの前記側縁部の上端部を含む部分は、互いに接合されていない非接合部とされ、
前記非接合部は、少なくとも一部が装着時に前記使用者の目頭どうしを結ぶ線より高い位置にあり、側方に開いた形態となって前記使用者の目頭またはその近傍を覆うように前記使用者の顔面に面密着的に接することを特徴とするマスク。
【請求項２】
前記非接合部における前記一対の本体シートは、前記装着時に、一方側の端縁を残して開いた形態となることを特徴とする請求項１記載のマスク。
【請求項３】
前記非接合部における前記一対の本体シートは、前記装着時に、互いに離間して開いた形態となることを特徴とする請求項１記載のマスク。
【請求項４】
前記本体シートの前記重ね合わされた部分の上端部が切り欠かれることによって前記非接合部が形成されていることを特徴とする請求項３記載のマスク。
【請求項５】
前記本体シートは、複数のシート体の積層体からなることを特徴とする請求項１〜４のうちいずれか１項記載のマスク。
【請求項６】
前記一対の本体シートの前記一方の側縁部は、長さ方向に沿って内面どうしが重ね合わされて複数の接合部で互いに接合され、
前記複数の接合部は、１または複数の中間非接合部によって前記側縁部の長さ方向に隔てられ、
前記中間非接合部は、前記マスク本体部内の使用者の呼気を外部に排出可能であり、かつ吸気を流入抑制することを特徴とする請求項１〜５のうちいずれか１項記載のマスク。
【請求項７】
前記本体シートは、遠赤外線放射素材、金属箔、鉄粉含有発熱材料、血行促進剤、マイナスイオン発生素材、磁石、吸湿発熱素材、および蓄熱シートからなる群から選択された１または２以上を含むことを特徴とする請求項１〜６のうちいずれか１項記載のマスク。
【請求項８】
前記耳かけ部は、耳かけ穴より上部側の上辺部と、前記耳かけ穴より下部側の下辺部とを有し、前記上辺部の張力は前記下辺部の張力より大きいことを特徴とする請求項１〜７のうちいずれか１項記載のマスク。
【請求項９】
前記本体シートには、これを構成する繊維表面に所定量の正電荷または負電荷を与えて分極させた誘電状態を形成するエレクトレット処理が施されていることを特徴とする請求項１〜８のうちいずれか１項記載のマスク。
【請求項１０】
前記耳かけ部の外面側に、使用者の耳を覆う耳カバーが設けられていることを特徴とする請求項１〜９のうちいずれか１項記載のマスク。
【発明の詳細な説明】
【技術分野】
【０００１】
本発明は、鼻部の少なくとも一部と口部を覆うように顔に装着されるマスクに関する。
【背景技術】
【０００２】
花粉症などのアレルギー性疾患を予防することなどを目的として、鼻部および口部を覆うマスクが使用されている。マスクには、微粒子（例えばアレルギー性疾患の原因となる花粉、ハウスダストなど）等を捕捉する性能が求められる。
近年では、顔面の形状に応じた立体形状を有するマスクが注目されている。
図１８は、従来のマスクの一例を示すもので、このマスク１１０は、鼻部および口部を覆うマスク本体部１０１と、マスク本体部１０１の両側部にそれぞれ設けられた耳かけ部１０２とを備えている。
マスク本体部１０１は、前方側縁部１０３ａどうしが接合された一対の本体シート１０３からなる。本体シート１０３の前方側縁部１０３ａは略円弧状に湾曲した形状であり、全長にわたって互いに接合されている。
耳かけ部１０２が使用者の耳に掛けられることによって、マスク１１０は使用者の顔面に装着される。本体シート１０３の前方側縁部１０３ａが湾曲した形状となっているため、マスク本体部１０１は顔面の形状に応じた立体形状となり、顔面の広い範囲を覆う。
【先行技術文献】
【特許文献】
【０００３】
【特許文献１】特開２００９−２７３７２６号公報
【発明の概要】
【発明が解決しようとする課題】
【０００４】
花粉症は、目の痒さや鼻水等が主な症状である。目の痒さについては、特に微小部分である目頭に顕著に表れやすい。
上記マスク１１０では、微粒子（花粉等）の侵入を阻止することによるアレルギー性疾患の予防や症状緩和の効果は限られており、特に痒みが顕著に表れる目頭等のアレルギー性疾患への十分な対策となっていなかった。
本発明は、上記事情に鑑みてなされたもので、目頭や鼻部や耳等の花粉症などアレルギー性疾患の予防や症状緩和に優れた効果を発揮するマスクを提供することを目的とする。
【課題を解決するための手段】
【０００５】
本発明は、一方の側縁部どうしが接合された一対の本体シートからなるマスク本体部と、前記マスク本体部の両側部にそれぞれ設けられた耳かけ部とを備え、前記マスク本体部は、使用者の鼻部の少なくとも一部と口部とを覆う本体部主部と、前記本体部主部から上方に突出して鼻部上部を覆う凸状部分とを有し、前記一対の本体シートの前記一方の側縁部は、長さ方向に沿って内面どうしが重ね合わされて少なくとも一部が互いに接合され、この接合部の上端は、前記凸状部分にあって装着時に使用者の目頭どうしを結ぶ線から前記使用者の鼻部上端までの高さ範囲に位置し、前記本体シートの前記側縁部の上端部を含む部分は、互いに接合されていない非接合部とされ、前記非接合部は、少なくとも一部が装着時に前記使用者の目頭どうしを結ぶ線より高い位置にあり、側方に開いた形態となって前記使用者の目頭またはその近傍（人によって異なり、複雑に起伏する領域）を覆うように前記使用者の顔面に面密着的に接するマスクを提供する。
前記非接合部における前記一対の本体シートは、前記装着時に、一方側の端縁を残して開いた形態となる構成としてよい。
前記非接合部における前記一対の本体シートは、前記装着時に、互いに離間して開いた形態となる構成としてもよい。
本発明のマスクは、前記本体シートの前記重ね合わされた部分の上端部が切り欠かれることによって前記非接合部が形成されている構成としてよい。
前記本体シートは、複数のシート体の積層体からなる構成としてよい。
本発明のマスクは、前記一対の本体シートの前記一方の側縁部は、長さ方向に沿って内面どうしが重ね合わされて複数の接合部で互いに接合され、前記複数の接合部は、１または複数の中間非接合部によって前記側縁部の長さ方向に隔てられ、前記中間非接合部は、前記マスク本体部内の使用者の呼気を外部に排出可能であり、かつ吸気を流入抑制する構成としよい。
前記本体シートは、遠赤外線放射素材、金属箔、鉄粉含有発熱材料、血行促進剤、マイナスイオン発生素材、磁石、吸湿発熱素材、および蓄熱シートからなる群から選択された１または２以上を含むものであってよい。
前記耳かけ部は、耳かけ穴より上部側の上辺部と、前記耳かけ穴より下部側の下辺部とを有し、前記上辺部の張力は前記下辺部の張力より大きい構成としてよい。
前記本体シートには、これを構成する繊維表面に所定量の正電荷または負電荷を与えて分極させた誘電状態を形成するエレクトレット処理を施してよい。
前記耳かけ部の外面側には、使用者の耳を覆う耳カバーが設けられていることが好ましい。
【発明の効果】
【０００６】
本発明によれば、本体シートの側縁部の上端部を含む部分が互いに接合されていないため、装着時には、この非接合部で本体シートが開いた形態となり、大きな接触面積で目頭から鼻部の上部にかけての領域（人によって異なり、複雑に起伏する領域）に面密着的に当接し、保温効果を高め、目頭や鼻部等の花粉症などのアレルギー性疾患の予防および症状緩和を図ることができる。
また、本体シートの顔面に対する接触面積が大きくなるため、顔面に加えられる押圧力は分散される。さらに、開いた形態で顔面に接する非接合部の曲げ弾性によって、接合部の上端が顔面に加える力が緩和される。よって、使用者の不快感を抑制できる。
【図面の簡単な説明】
【０００７】
【図１】本発明の第１実施形態に係るマスクの斜視図である。
【図２】前図に示すマスクの要部拡大図である。
【図３】図１のマスクの折りたたんだ状態の側面図である。
【図４】図１のマスクを使用者の顔に装着した状態を示す斜視図である。
【図５】図１のマスクの断面図である。
【図６】図１のマスクの端部非接合部の断面図である。
【図７】前図に示す端部非接合部の動作を示す断面図である。
【図８】図１のマスクを使用者の顔に装着した状態を示す要部拡大図である。
【図９】従来のマスクの一例を使用者の顔に装着した状態を示す要部拡大図である。
【図１０】人体頭部の構造を示す断面図である。
【図１１】本体シートの他の例を用いたマスクの要部断面図である。
【図１２】本発明の第２実施形態に係るマスクの要部を拡大した斜視図である。
【図１３】本発明の第３実施形態に係るマスクの折りたたんだ状態の側面図である。
【図１４】前図に示すマスクを使用者の顔に装着した状態を示す斜視図である。
【図１５】本発明の第４実施形態に係るマスクの斜視図である。
【図１６】本発明の第５実施形態に係るマスクの斜視図である。
【図１７】涙器を模式的に示す図である。
【図１８】従来のマスクの一例の斜視図である。
【発明を実施するための形態】
【０００８】
＜第１実施形態＞
図１は、本発明の第１実施形態に係るマスク１０の斜視図である。図２はマスク１０の要部拡大図である。図３は、マスク１０の折りたたんだ状態の側面図である。図４は、マスク１０を使用者の顔に装着した状態を示す斜視図である。図５は、マスク１０の断面図である。図６は、マスク１０の端部非接合部１７の断面図である。図７は、端部非接合部の動作を示す断面図である。図８はマスク１０を使用者６０の顔に装着した状態を示す要部拡大図である。
以下の説明において、図３における左方を前方といい、右方を後方ということがある。マスク１０の前後方向は顔に装着した際に使用者から見た前後方向に対応している。
【０００９】
図１〜図６に示すように、マスク１０は、マスク本体部１と、マスク本体部１の両側部にそれぞれ設けられた耳かけ部２とを備えている。
マスク本体部１としては、ポリオレフィン系材料やポリエステル系材料からなる合成繊維を用いた不織布を使用できる。ポリオレフィン系材料としては、ポリプロピレン、ポリエチレン、ポリ１−ブテンなどがあり、ポリエステル系材料としてはポリエチレンテレフタレートなどがある。マスク本体部１の材料としては、熱可塑性樹脂を使用することもできる。
不織布を構成する繊維は単繊維であってもよいし、複合芯鞘繊維であってもよい。複合芯鞘繊維としては、ポリエステル−ポリエチレン芯鞘繊維、ポリプロピレン−ポリエチレン芯鞘繊維等を使用できる。
【００１０】
マスク本体部１は、前方側縁部３ａ（一方の側縁部）どうしが接合された一対の本体シート３、３からなる。
図３に示すように、本体シート３は、略円弧状に湾曲した前方側縁部３ａと、後方に向け下降する上縁部３ｄと、後方に向け上昇する略直線状の下縁部３ｅと、略直線状の後方側縁部３ｂ（他方の側縁部）とを有する。本体シート３は、前方側縁部３ａから後方に向かって徐々に高さ寸法を減じる形状である。
前方側縁部３ａは前方に向けて凸状となるように湾曲した形状である。後方側縁部３ｂの長さ（図３の上下方向の寸法）は前方側縁部３ａに比べて短くされている。
【００１１】
図３〜図６に示すように、一対の本体シート３、３の前方側縁部３ａ、３ａは、長さ方向に沿って内面３ｃ、３ｃが重ね合わされて接合部５で互いに接合されている。
図１〜図３および図６に示すように、前方側縁部３ａ、３ａの重なり部分４は、前方側縁部３ａの全長にわたる略一定幅の帯状領域であり、図示例では本体シート３の前縁３ｇ（一方側の端縁）から一定幅の領域である。
図３および図６に示すように、接合部５は本体シート３の内面３ｃ、３ｃを互いに接合する部分であり、前方側縁部３ａの長さ方向に沿って延在している。
【００１２】
接合部５における本体シート３どうしの接合には、本体シート３の素材として熱可塑性樹脂が用いられている場合には熱溶着を採用できる。また、ポリビニルアルコール系などの接着剤によって本体シート３どうしを接合することもできる。
接合部５は、重なり部分４の全幅にわたって本体シート３を互いに接合することもできるし、本体シート３の幅方向の一部を互いに接合することもできる。図示例では、接合部５は本体シート３の前縁３ｇから間隔をおいて形成されている。
図４〜図６に示すように、本体シート３の前方側縁部３ａは、使用者６０が装着した状態では前方に突出した形態となる。
【００１３】
図４に示すように、マスク本体部１は、使用者６０の鼻部６１の少なくとも一部と口部６２とを覆うことができるように形成するのが好ましい。
マスク本体部１の後方側縁部３ｂの上端から下端までの高さ範囲の部分を本体部主部１Ａという。本体部主部１Ａは、使用者６０の鼻部６１の少なくとも一部と口部６２とを覆うことができる。
マスク本体部１の上部の凸状部分１ｃ（本体シート３の後方側縁部３ｂの上端より高い位置にある部分。すなわち本体部主部１Ａから上方に突出した部分）は、目頭６３ａから鼻部６１の上部にかけての複雑形状領域６１ａ（人によって異なり、複雑に起伏する領域）を面密着的に覆う目頭保温部として機能する。凸状部分１ｃは、鼻部６１の上部を覆う鼻部保温部としても機能する。
図示例では、接合部５の上端５ａは本体部主部１Ａから突出する凸状部分１ｃにあって、鼻部６１の上端６１ｂに係止しており、これによってマスク本体部１はずり落ちずに顔面６０ａに保持される。符号１ａはマスク本体部１の上端（重なり部分４を除いた部分のマスク本体部１の上端）である。符号６３は目である。鼻部６１の上端６１ｂは、側方から見て凹所の最深部となる部位である。
接合部５の上端５ａは、装着時に使用者６０の目頭６３ａどうしを結ぶ線Ｌ１から使用者６０の鼻部６１の上端６１ｂまでの高さ範囲に位置している。
マスク本体部１の下部の凸状部分１ｄ（本体シート３の後方側縁部３ｂの下端より低い位置にある部分）は、本体部主部１Ａから下方に突出した部分である。マスク本体部１の下端１ｂ（重なり部分４を除いた部分のマスク本体部１の下端）は本体部主部１Ａから突出する凸状部分１ｄにあって使用者６０のあご６４に達するように形成することができる。
【００１４】
本体シート３の前方側縁部３ａの上端部３ｆ（重なり部分４の上端部）を含む部分は、互いに接合されていない。この非接合部分を端部非接合部１７という。端部非接合部１７では本体シート３、３は重ね合わされているが、互いに接合されていない。
端部非接合部１７は、装着時に使用者６０の目頭６３ａどうしを結ぶ線Ｌ１より高い位置にある。端部非接合部１７は、少なくとも一部が線Ｌ１より高い位置にあればよい。すなわち、端部非接合部１７の全部が線Ｌ１より高い位置にあってもよいし、端部非接合部１７の一部が線Ｌ１より高い位置にあってもよい。
【００１５】
図３および図６に示すように、端部非接合部１７は、前方側縁部３ａの上端から前方側縁部３ａの長さ方向にわたる非接合部分であり、その長さＬ２は例えば５〜７ｍｍとすることができる。端部非接合部１７では、本体シート３、３は重ね合わされているが互いに接合されていないため、力が加えられると姿勢が容易に変化する。
このため、図７に示すように、本体シート３、３に互いに離れる方向（図７の左右方向）の力が加えられると、本体シート３の曲げ弾性により、前方側縁部３ａの姿勢は折り曲げ角度が小さくなるよう変化する。例えば、図６に示す状態では、前方側縁部３ａは他の部分に対してほぼ垂直に折り曲げられているが、図７に示す状態ではその折り曲げ角度が小さくなっている。
これによって、端部非接合部１７では、前方側縁部３ａ、３ａは、前縁３ｇ、３ｇのみが互いに接し、他の部分は互いに離間した姿勢をとることができる。すなわち、前方側縁部３ａ、３ａは、前縁３ｇ、３ｇを残して開いた形態となる。
【００１６】
図７および図８に示すように、使用者６０の顔に装着されたマスク１０の本体シート３は、端部非接合部１７で前縁３ｇ、３ｇを残して側方に開いた形態となり、使用者６０の顔面６０ａ、例えば目頭６３ａから鼻部６１の上部にかけての複雑形状領域６１ａ（人によって異なり、複雑に起伏する領域）に面密着的に接する。端部非接合部１７は、少なくとも目頭６３ａおよびその近傍領域を面密着的に覆う。
端部非接合部１７は、顔面６０ａに沿って広がった状態で複雑形状領域６１ａに面密着的に当接するため、大きな接触面積で複雑形状領域６１ａに接し、この複雑形状領域６１ａにおける保温効果を高め、特に目頭や鼻部上部等の花粉症などのアレルギー性疾患の予防および症状緩和を図ることができる。特に、端部非接合部１７が目頭６３ａおよびその近傍領域を面密着的に覆い、この領域を保温することによって、特に目頭や鼻部上部等のアレルギー性疾患（痒みや鼻水等）を効果的に予防および症状緩和することができる。
【００１７】
図１７は、涙器の構造を示す模式図である。涙は涙腺２０１から分泌され、花粉やダスト等を伴って眼球２１０の表面を流れ、目頭６３ａに近い涙小管２０２、涙嚢２０３、鼻涙管２０４等の涙道を経て、鼻腔に鼻水として排出される。花粉症が発症すると、鼻粘膜が炎症を起こし、特に目頭６３ａの痒さが顕著となるとともに浮腫を生じ、涙小管２０２が塞がれ、涙の流れが阻害される。涙の流れが阻害されると、花粉やダスト等は鼻腔に排出されなくなるため目６３内に長時間滞留し、アレルゲンとなる成分が涙に溶出して目の粘膜を刺激して炎症を起こし、結膜炎等による目の痒みや涙目（多量の涙が目にたまる）の原因となる。
図１等に示すマスク１０は、端部非接合部１７により目頭６３ａから鼻部６１の上部にかけての複雑形状領域６１ａ（人によって異なり、複雑に起伏する領域）を面密着的に覆って保温することで、涙小管２０２を中心として涙嚢２０３や鼻涙管２０４等の涙道を保温する効果を高め、特に涙小管２０２の炎症や浮腫等を抑制し、閉塞を解消し、涙の流通を可能とする。涙の流通が可能となれば、花粉やダスト等に含まれるアレルゲン成分は、溶出する前に涙小管２０２、涙嚢２０３、鼻涙管２０４等の涙道を経て鼻腔に鼻水として排出される。このため、結膜炎や涙目等の花粉症の症状を抑制できる。
【００１８】
マスク１０では、前方側縁部３ａの顔面６０ａに対する接触面積が大きくなるため、顔面６０ａに加えられる押圧力は分散されることから、使用者６０の不快感を抑えることができる。
また、図８に示すように、開いた形態で顔面６０ａに接する端部非接合部１７の曲げ弾性によって、本体シート３には顔面６０ａから離れる方向の力が作用する。このため、接合部５の上端５ａが顔面６０ａに加える力が緩和される。よって、図９に示すように、接合部２５が前方側縁部３ａの上端にまで達する従来品に比較して、接合部５が顔面６０ａに当たることによる使用者６０の不快感を抑制できる。
【００１９】
図１、図３および図４に示すように、耳かけ部２は、マスク本体部１の本体シート３の後方側縁部３ｂから後方に延出して形成されている。耳かけ部２には、使用者６０の耳６５に引っ掛けられる耳かけ穴７が形成されている。Ｐ１は耳かけ部２の上辺部であり、耳かけ穴７より上部側の部分を含む。Ｐ２は耳かけ部２の下辺部であり、耳かけ穴７より下部側の部分を含む。
【００２０】
耳かけ部２は、ポリオレフィン系材料やポリエステル系材料からなる合成繊維を用いた不織布を使用できる。耳かけ部２はマスク本体部１に比べて伸縮性が高いことが好ましい。例えば、弾性的に伸縮可能な繊維を使用した不織布を用いることができる。
上辺部Ｐ１の張力は、下辺部Ｐ２の張力より大きいことが好ましい。これによって、マスク本体部１がずり落ちるのを防ぎ、マスク本体部１を、接合部５の上端５ａが鼻部６１の上端６１ｂに係止した位置に安定に保持できる。また、上辺部Ｐ１の張力を下辺部Ｐ２の張力より大きくすることで、マスク１０の装着により耳６５にかかる負担を軽減できる。
なお、耳かけ部２はマスク本体部１の一部としてマスク本体部１に一体的に形成されていてもよい。
【００２１】
図１〜図３に示すように、本体シート３の後方側縁部３ｂの内面は、長さ方向に沿って耳かけ部２の前縁部２ａの外面に重ね合わされており、この帯状の重なり部分８において本体シート３と耳かけ部２は互いに接合されている。本体シート３と耳かけ部２との接合には、熱溶着や接着剤を用いることができる。
【００２２】
図４に示すように、マスク１０は、マスク本体部１が使用者６０の鼻部６１の少なくとも一部と口部６２とを覆うように装着することができる。
図示例では、マスク本体部１の目頭保温部１ｃ（鼻部保温部）が目頭６３ａから鼻部６１の上部にかけての複雑形状領域６１ａ（人によって異なり、複雑に起伏する領域）を面密着的に覆い、マスク本体部１の接合部５の上端５ａは、本体部主部１Ａから突出して鼻部６１の上端６１ｂに達している。マスク本体部１の下端１ｂ（前方側縁部３ａの下端）は本体部主部１Ａから突出して使用者６０のあご６４に達している。目頭保温部１ｃは目頭６３ａどうしを結ぶ線Ｌ１より高い位置に達している。具体的には、マスク本体部１の上端１ａは線Ｌ１より高い位置にある。なお、ここでいう高さ方向とは、図４の上方であり、線Ｌ１より高い位置とは、この図において線Ｌ１よりも上に位置していることを意味する。
【００２３】
図１０は、人体頭部の構造を示す断面図である。この図において、正中線Ｙの左右に存在する空洞部が鼻腔Ｍである。
この鼻腔Ｍの両側に、それぞれ鼻腔Ｍと連通して、眼腔近辺に達する篩骨洞Ｓ１と、頬骨近辺に達する上顎洞Ｓ２とが副鼻腔である。
図４に示す装着状態にあっては、マスク本体部１によって鼻部６１の大部分が覆われるため、鼻腔Ｍと副鼻腔（篩骨洞Ｓ１および上顎洞Ｓ２）との双方が保温されることになる。
特に、開いた形態となった端部非接合部１７が、目頭６３ａから鼻部６１の上部にかけての複雑形状領域６１ａ（人によって異なり、複雑に起伏する領域）に大きな接触面積で面密着的に当接し、この複雑形状領域６１ａに面密着的に接触することにより保温効果を高め、特に目頭や鼻部等の花粉症などのアレルギー性疾患の予防および症状緩和を図ることができる。
【００２４】
マスク１０では、本体シート３の上端部３ｆを含む部分である端部非接合部１７は、装着時には開いた形態となり、目頭６３ａから鼻部６１の上部にかけての複雑形状領域６１ａ（人によって異なり、複雑に起伏する領域）に大きな接触面積で面密着的に当接し、これにより保温効果を高め、特に目頭や鼻部等の花粉症などのアレルギー性疾患の予防および症状緩和を図ることができる。
また、本体シート３（前方側縁部３ａ）の顔面６０ａに対する接触面積が大きくなるため、顔面６０ａに加えられる押圧力は分散される。さらに、開いた形態で顔面６０ａに接する端部非接合部１７の曲げ弾性によって、接合部５の上端５ａが顔面に加える力が緩和される。よって、接合部５が顔面６０ａに当たることによる使用者６０の不快感を抑制できる。
また、図１７に示すように、端部非接合部１７の変形が容易であるため、端部非接合部１７から上縁部３ｄに沿って後方側縁部３ｂに向けて延在する帯状の上縁領域１９も変形が容易であり姿勢変化が起こりやすくなる。このため、上縁領域１９は顔面６０ａに沿う姿勢となって顔面６０ａに面密着的に当接し、当接部分の保温効果を高めることができる。
【００２５】
本発明のマスクに用いる本体シートは１枚のシート体から構成してもよいし、複数枚のシート体から構成してもよい。
図１１は、本体シートの他の例を示すもので、ここに示す本体シート３は、３枚のシート体１３ａからなる積層構造体である。シート体１３ａとしては、ポリオレフィン系材料やポリエステル系材料からなる合成繊維を用いた不織布を使用できる。
シート体１３ａには、エレクトレット化（エレクトレット処理）を施すことができる。エレクトレット化は、繊維表面に所定量の正電荷または負電荷を与えて分極させた誘電状態を形成する処理である。エレクトレット化処理には、既知の方法、例えばコロナ放電によりシート体１３ａを荷電させる方法を採用できる。
【００２６】
＜第２実施形態＞
図１〜図４等に示すマスク１０では、端部非接合部１７はほとんど互いに離間していないが、図１２に示すように、端部非接合部１７の一部が互いに離間する構成も可能である。
端部非接合部１７は、目頭６３ａから鼻部６１の上部にかけての複雑形状領域６１ａ（人によって異なり、複雑に起伏する領域）に大きな接触面積で面密着的に当接し、この複雑形状領域６１ａにおける保温効果を高めることによって、特に目頭や鼻部等の花粉症などのアレルギー性疾患の予防および症状緩和を図ることができる。特に、端部非接合部１７が目頭６３ａおよびその近傍領域を覆い、この領域を保温することによって、アレルギー性疾患を効果的に予防および症状緩和することができる。
【００２７】
＜第３実施形態＞
図１３は、本発明の第３実施形態に係るマスク２０の折りたたんだ状態の側面図である。図１４は、マスク２０を使用者の顔に装着した状態を示す斜視図である。
マスク２０は、本体シート３の前方側縁部３ａの上端部３ｆ（重なり部分４の上端部）に切欠き部１８が形成されることによって、本体シート３の上端部３ｈを含む部分が互いに非接合（端部非接合部１８Ａ）となっていること以外は図１〜図４等に示す第１実施形態のマスク１０と同じ構成である。
図１３に示すように、切欠き部１８は、前方側縁部３ａの上端から前方側縁部３ａの長さ方向にわたる切り欠き部分であり、その長さＬ３は例えば５〜７ｍｍとすることができる。切欠き部１８の幅は、重なり部分４と同じ幅とすることができる。
切欠き部１８の内縁１８ａ（側縁部）は、前方側縁部３ａに沿う方向に形成されており、切欠き部１８が形成された部分における本体シート３の前方側縁部といえる。
この前方側縁部１８ａを含む部分である本体シート３の端部非接合部１８Ａは、上方に凸状となっており、マスク２０を装着したときには、一対の本体シート３、３の端部非接合部１８Ａ、１８Ａは互いに離間した形態となる。
【００２８】
図１４に示すように、マスク２０では、本体シート３の上端部３ｈを含む部分（端部非接合部１８Ａ、１８Ａ）が互いに非接合となっているため、装着時には端部非接合部１８Ａ、１８Ａが側方に開いた形態となり、目頭６３ａから鼻部６１の上部にかけての複雑形状領域６１ａ（人によって異なり、複雑に起伏する領域）に大きな接触面積で面密着的に当接し、この複雑形状領域６１ａに大きな接触面積で接して保温効果を高めることができる。
従って、特に目頭や鼻に症状が現れる花粉症などのアレルギー性疾患の予防および症状緩和を図ることができる。特に、端部非接合部１８Ａ、１８Ａが目頭６３ａおよびその近傍領域を覆い、この領域を保温することによって、目頭や鼻部等のアレルギー性疾患を効果的に予防および症状緩和することができる。
【００２９】
＜第４実施形態＞
図１５は、本発明の第４実施形態に係るマスク３０を使用者の顔に装着した状態を示す斜視図である。
マスク３０では、本体シート３、３の前方側縁部３ａ、３ａが、複数の接合部３５（一方側の接合部）で互いに接合されている。これら複数の接合部３５は、１または複数の中間非接合部３６（一方側の非接合部）によって、前方側縁部３ａの長さ方向に互いに隔てられている。図示例では、接合部３５は、前方側縁部３ａの全長にわたって断続的に形成された略一定幅の部分である。接合部３５の上端３５ａは鼻部６１の上端６１ｂに係止可能である。
【００３０】
中間非接合部３６は、隣り合う接合部３５、３５の間にあって本体シート３、３が互いに接合されていない部分である。
中間非接合部３６では本体シート３、３は重ね合わされているが、互いに接合されていない。このため、中間非接合部３６では本体シート３、３の隙間は通気可能であり、この隙間を通してマスク本体部１の内部空間の気体を外部に排出することができる。また、後述のように、吸気の際には外気流入を抑制できる。
【００３１】
本体シート３の後方側縁部３ｂの内面は、長さ方向に沿って耳かけ部２の前縁部２ａの外面に重ね合わされており、この帯状の重なり部分８において本体シート３と耳かけ部２は複数の後方接合部４５（他方側の接合部）で互いに接合されている。
これら複数の後方接合部４５は、１または複数の後方非接合部４６（他方側の非接合部）によって後方側縁部３ｂの長さ方向に隔てられて形成されている。
【００３２】
使用者６０の呼気によってマスク本体部１の内部空間の気圧が高まると、呼気の一部は本体シート３の前方側縁部３ａの中間非接合部３６における隙間を通して外部に排出される。呼気の他の一部は、本体シート３の後方側縁部３ｂと耳かけ部２の前縁部２ａとの重なり部分８の後方非接合部４６における隙間から外部に排出される。
このため、呼気が内部空間内に充満することがなく、内部空間内の酸素濃度低下を改善することができる。よって、使用者６０の健康阻害を低減できる。
【００３３】
呼気が中間非接合部３６における隙間から排出される際には、気流による気圧低下によって本体シート３、３が互いに離隔しにくくなる。本体シート３は繊維からなる構造体であるため、内面３ｃ（図７参照）は微視的には平滑面ではなく凹凸を有することから、呼気中の微粒子（体液飛沫など）は非接合部３６の内面３ｃに吸着され、外部への放出が抑えられる。
呼気が後方非接合部４６における隙間から排出される際にも、呼気中の微粒子（体液飛沫など）は非接合部４６の内面３ｃと耳かけ部２外面に吸着され、外部への放出が抑えられる。
中間非接合部３６および後方非接合部４６は十分な幅があるため、呼気中の微粒子を効果的に吸着し、外部への放出を抑制できる。
【００３４】
吸気の際には、内部空間の気圧低下により中間非接合部３６の本体シート３、３の前方側縁部３ａ、３ａは閉じ合わされ、隙間から内部空間への外気流入は起こらない。
同様に、本体シート３の後方側縁部３ｂと耳かけ部２の前縁部２ａとの重なり部分８においても、後方非接合部４６において本体シート３と耳かけ部２とは閉じ合わされ、隙間から内部空間への外気流入は起こらない。
このため、吸気として内部空間に導入される外気の大部分は本体シート３を透過する。この際、外気中の微粒子（花粉など）は本体シート３に捕捉されるため、捕捉性能の低下はない。
従って、マスク３０では、捕捉性能を低下させることなく、内部空間内に呼気が充満することによる酸素濃度低下を改善し、使用者６０の健康阻害を低減できる。
【００３５】
＜第５実施形態＞
図１６は、本発明の第５実施形態に係るマスク４０を使用者の顔に装着した状態を示す要部拡大図である。
マスク４０は、耳かけ部２の外面側に、耳６５を覆う耳カバー４１が設けられていること以外は図１〜図３等に示す第１実施形態のマスク１０と同じ構成である。
耳カバー４１は、耳かけ部２とほぼ同じ外形を有する不織布等を使用できる。耳カバー４１の使用により、耳６５（例えば耳介および外耳道）の保温や外気中の微粒子の除去が可能となる。
従って、特に耳介および外耳道などの保温効果を高めるとともに外気中の微粒子を除去し、耳のアレルギー性疾患の予防および症状緩和を図ることができる。
【００３６】
本発明のマスクは、本体シートが、遠赤外線放射素材、金属箔、鉄粉含有発熱材料、血行促進剤、マイナスイオン発生素材、磁石、吸湿発熱素材、および蓄熱シートからなる群から選択された１または２以上を含む構成としてもよい。例えば本体シートを構成する少なくとも１つのシート体が、前記材料（遠赤外線放射素材、金属箔、鉄粉含有発熱材料、血行促進剤、マイナスイオン発生素材、磁石、吸湿発熱素材、および蓄熱シートから選択された１または２以上）を含む構成とすることができる。
【００３７】
遠赤外線放射素材とは、人体または外部から放射される熱を受けて遠赤外線に転化できる材料であって、例えばＡｌ2Ｏ3、ＳｉＯ2、ＴｉＯ2、Ｃｒ2Ｏ3、ＺｒＯ2、ＭｇＯ、Ｆｅ2Ｏ3などの金属酸化物；ＳｉＣ、ＴｉＣ、ＺｒＣ、Ｂ4Ｃなどの炭素化合物；Ｓｉ3Ｎ4、ＢＮ、ＡｌＮなどの窒化物；またはそれらの２以上の複合体などのいわゆる遠赤外線放射性セラミクスが使用可能である。遠赤外線放射素材の使用によって、保温効果を高めることができる。
金属箔としてはアルミニウム箔などがあり、本体シートを構成する不織布に積層して使用できる。金属箔の使用によって保温効果を高めることができる。
【００３８】
鉄粉含有発熱材料は、鉄粉が空気中の酸素および水分と反応する際の反応熱を利用するものであって、例えば、鉄粉と、食塩と、必要に応じて酸化触媒とを含む。鉄粉含有発熱材料は、袋に封入してシート状に構成したものを加温体として使用できる。加温体は、使用時に密封容器から取り出すことによって空気中の酸素と反応して発熱し、マスク本体部内を加温することができる。
血行促進剤としては、例えばサルチル酸メチル、カンファ、メントール類、各種香油類、ヒノキ油、ヒバ油、トウガラシチンキなどが使用できる。血行促進剤を使用すると、揮発性成分が皮膚に浸透して皮下の毛細血管の血行を促進することができる。
マイナスイオン発生素材としては、例えばトルマリン粉末、電気分解アルカリイオン水を使用できる。
磁石は、磁力を皮下の毛細血管に作用させて血行を促進することができる。
【００３９】
吸湿発熱素材は、水分を吸収することにより発熱する機能を備えたものであって、例えばアクリレート系材料、セルロース系材料などがある。吸湿発熱素材は、例えば顔面から発汗される汗を吸収することにより発熱する。
蓄熱シートとしては、ＣＭＣ、ＰＶＡ、アクリル酸ポリマー等のゲル状の蓄熱剤を袋に封入してシート状に構成したものを使用できる。蓄熱シートは、電子レンジ等により加温できる。蓄熱シートの使用によって保温効果を高めることができる。
【００４０】
これらの材料（遠赤外線放射素材、金属箔、鉄粉含有発熱材料、血行促進剤、マイナスイオン発生素材、磁石、吸湿発熱素材、および蓄熱シートから選択された１または２以上）は、本体シートの一部または全部に積層、含浸等することで使用できる。前記材料の使用位置（例えば加温体の取り付け位置）は特に限定されないが、特に、目頭保温部１ｃ（鼻部保温部）に使用するのが好ましい。前記材料の使用方法（例えば加温体の取り付け方法）は特に限定されず、いかなる方法であってもよい。
前記材料の使用による加温、保温、血行促進などによって、特に目頭や鼻部等の花粉症などのアレルギー性疾患の予防および症状緩和を図ることができる。
【符号の説明】
【００４１】
１・・・マスク本体部、１ｃ・・・凸状部分、１Ａ・・・本体部主部、２・・・耳かけ部、３・・・本体シート、３ａ・・・本体シートの前方側縁部（一方の側縁部）、３ｃ・・・本体シートの内面、３ｆ・・・本体シートの前方側縁部の上端部、３ｇ・・・前縁（一方側の端縁）、３ｈ・・・本体シートの上端部、４・・・本体シートの前方側縁部の重なり部分、５・・・接合部、５ａ・・・上端、１０、２０、３０、４０・・・マスク、１３ａ・・・シート体、１７・・・端部非接合部、１８・・・切欠き部、３５・・・接合部、３６・・・中間非接合部、７・・・耳かけ穴、６０・・・使用者、６０ａ・・・顔面、６１・・・鼻部、６１ｂ・・・鼻部の上端、６２・・・口部、Ｌ１・・・目頭６３ａどうしを結ぶ線、Ｐ１・・・上辺部、Ｐ２・・・下辺部。
【図１】
2012239588.tif 000003
【図２】
2012239588.tif 000004
【図３】
2012239588.tif 000005
【図４】
2012239588.tif 000006
【図５】
2012239588.tif 000007
【図６】
2012239588.tif 000008
【図７】
2012239588.tif 000009
【図８】
2012239588.tif 000010
【図９】
2012239588.tif 000011
【図１０】
2012239588.tif 000012
【図１１】
2012239588.tif 000013
【図１２】
2012239588.tif 000014
【図１３】
2012239588.tif 000015
【図１４】
2012239588.tif 000016
【図１５】
2012239588.tif 000017
【図１６】
2012239588.tif 000018
【図１７】
2012239588.tif 000019
【図１８】
2012239588.tif 000020